(57)【要約】【課題】ルアーの形状変更を行なうための部材の着脱操作を極力簡素化して、その操作を容易に行なうことができるルアーを提供することを課題とする。【解決手段】胴部１ａと、この胴部の前方に形成される頭部１ｂと、胴部の後方に形成される尾部１ｃとからなるルアー１であって、頭部あるいは尾部の少なくとも一方が胴部に着脱可能に装着され、胴部の、頭部あるいは尾部が着脱可能に装着される部位には、頭部あるいは尾部に嵌合させられる嵌合突起２が設けられ、この嵌合突起に、釣り針あるいは釣り糸が取り付けられるカン３が、嵌合突起から突出するように設けられ、着脱可能に装着される頭部あるいは尾部には、カンが貫通させられるとともに嵌合突起が嵌着される貫通孔４が形成されている。【選択図】図３
0003233194.tif 000002
【実用新案登録請求の範囲】
【請求項１】
胴部と、この胴部の前方に形成される頭部と、前記胴部の後方に形成される尾部とからなるルアーであって、前記頭部あるいは前記尾部の少なくとも一方が前記胴部に着脱可能に装着され、前記胴部の、前記頭部あるいは前記尾部が着脱可能に装着される部位には、前記頭部あるいは前記尾部に嵌合させられる嵌合突起が設けられ、この嵌合突起に、釣り針あるいは釣り糸が取り付けられるカンが、前記嵌合突起から突出するように設けられ、着脱可能に装着される前記頭部あるいは前記尾部には、前記カンが貫通させられるとともに前記嵌合突起が嵌着される貫通孔が形成されていることを特徴とするルアー。
【請求項２】
着脱可能に装着される前記頭部あるいは前記尾部と前記胴部との間に、これらを固定状態に保持する固定手段が設けられていることを特徴とする請求項１に記載のルアー。
【請求項３】
前記固定手段が磁石によって構成されていることを特徴とする請求項２に記載のルアー。
【請求項４】
前記固定手段が、着脱可能に装着される前記頭部あるいは前記尾部と前記胴部の一方に形成された係合突起と、他方に形成され前記係合突起に係合させられる係合溝によって構成されていることを特徴とする請求項２に記載のルア−。
【考案の詳細な説明】
【技術分野】
【０００１】
本考案は、釣りに用いられるルアーに係わり、特に、例えば、水中での動きを変化させるために外形形状を変更するようにしたルアーに関する。
【背景技術】
【０００２】
従来、外形形状を変更可能な構成としたルアーが、たとえば、特許文献１において示されている。
【０００３】
特許文献１に示されたルアーは、ルアーの胴部先端にキャップを着脱可能に装着するとともに、これらのキャップと胴部とを、これらを貫通して設けられる締結手段によって固定するようにしたもので、前記キャップを、形状を変えて複数用意しておき、これらのキャップを択一的に胴部に装着することにより、ルアーの形状を変更するようにしている。
【先行技術文献】
【特許文献】
【０００４】
【特許文献１】実用新案登録第３０５８８６３号公報
【考案の概要】
【考案が解決しようとする課題】
【０００５】
前述した文献１に示された技術によって、ルアーの一部形状を変化させることが可能となったが、なお、次のような改善すべき問題点が残されている。
【０００６】
すなわち、文献１に示された技術では、キャップは胴部に単に被せた構成であることから、キャップの離脱を防止するために、キャップと胴部とを締結手段によって固定する必要がある。
【０００７】
したがって、キャップを取り替える際には、締結手段を取り外し、キャップを取り替えた後に、再度締結手段を取り付ける操作が必要であることから、その操作が煩雑であるという問題点である。
【０００８】
本考案は、前述した従来の技術において残されている問題点を解決せんとしてなされたもので、ルアーの形状変更を行なうための部材の着脱操作を極力簡素化して、その操作を容易に行なうことができるルアーを提供することを課題とする。
【課題を解決するための手段】
【０００９】
本考案のルアーは、前述した課題を解決するために、胴部と、この胴部の前方に形成される頭部と、前記胴部の後方に形成される尾部とからなるルアーであって、前記頭部あるいは前記尾部の少なくとも一方が前記胴部に着脱可能に装着され、前記胴部の、前記頭部あるいは前記尾部が着脱可能に装着される部位には、前記頭部あるいは前記尾部に嵌合させられる嵌合突起が設けられ、この嵌合突起に、釣り針あるいは釣り糸が取り付けられるカンが、前記嵌合突起から突出するように設けられ、着脱可能に装着される前記頭部あるいは前記尾部には、前記カンが貫通させられるとともに前記嵌合突起が嵌着される貫通孔が形成されていることを特徴としている。
【００１０】
このような構成とすることにより、着脱可能に装着される胴部あるいは尾部は、これらに形成されている貫通孔に胴部に形成された嵌合突起を嵌着させることによって胴部に装着することができる。
【００１１】
そして、嵌合突起の外面と貫通孔の内面との摩擦により、頭部あるいは尾部の胴部からの離脱が防止される。
【００１２】
このように、頭部あるいは尾部の取り替え操作を、これらを胴部に嵌合させるといった簡便な操作によって行なうことができ、取り替え操作を容易なものとすることができる。
【００１３】
また、着脱可能に装着される頭部あるいは尾部と胴部との間に、これらを固定状態に保持する固定手段を設けることも可能である。
【００１４】
ここで、頭部あるいは尾部と胴部との固定は、主に、貫通孔と嵌合突起との摩擦によって行なわれていることから、固定手段は、前記摩擦による固定を補助する程度で済み、したがって、固定手段の構成も簡素なもので済む。
【００１５】
前記固定手段は、磁石によって構成し、あるいは、着脱可能に装着される頭部あるいは尾部と胴部の一方に形成された係合突起と、他方に形成され前記係合突起に係合させられる係合溝によって構成することができる。
【００１６】
このような何れの構成においても、頭部あるいは尾部を胴部に対して、嵌合突起の長さ方向に沿うように移動させる操作だけで胴部に着脱することができ、別途固定部材を設ける必要はない。
【考案の効果】
【００１７】
本考案のルアーによれば、ルアーの形状変更を行なうための部材の着脱操作を極力簡素化して、その操作を容易に行なうことができる。
【図面の簡単な説明】
【００１８】
【図１】本考案の第１の実施形態を示す側面図である。
【図２】本考案の第１の実施形態を示すもので、使用方法を説明するための分解図である。
【図３】本考案の第１の実施形態を示す縦断面図である。
【図４】本考案の第１の実施形態を示すもので、使用手順を示す一部を断面した側面図である。
【図５】本考案の第２の実施形態を示す一部を断面した側面図である。
【図６】本考案の第３の実施形態を示す外観斜視図である。
【考案を実施するための形態】
【００１９】
以下、本考案の第１の実施形態を図１ないし図３を参照して説明する。
これらの図において符号１は、本実施形態に係わるルアーを示す。
【００２０】
本実施形態のルアー１は、胴部１ａと、この胴部１ａの前方に形成される頭部１ｂと、胴部１ａの後方に形成される尾部１ｃとからなり、頭部１ｂが胴部１ａに着脱可能に装着され、胴部１ａの、頭部１ｂが着脱可能に装着される部位には、図２に示すように、頭部１ｂに嵌合させられる嵌合突起２が設けられ、この嵌合突起２に、釣り針あるいは釣り糸が取り付けられるカン３が、嵌合突起２から突出するように設けられ、頭部１ｂには、図３に示すように、カン３が貫通させられるとともに嵌合突起２が嵌着される貫通孔４が形成されている。
【００２１】
前記嵌合突起２および貫通孔４は、ルアー１の長さ方向に沿って設けられており、頭部１ｂを胴部１ａに、この胴部１ａの前方から差し込むことにより、胴部１ａの嵌合突起２を頭部１ｂの貫通孔４に嵌合させて、頭部１ｂを胴部１ａに装着するようになっている。
【００２２】
そして、前記嵌合突起２と貫通孔４は嵌合状態において適度な摩擦を生じさせるような寸法となされており、この摩擦により頭部１ｂを胴部１ａに係止するようになっている。
【００２３】
前記頭部１ｂと胴部１ａとの重畳部分には、固定手段５としての磁石６が埋設されており、これらの磁力により、前述した摩擦による頭部１ｂと胴部１ａとの固定力を補助するようになっている。
【００２４】
本実施形態においては、胴部幅方向に１ａと尾部１ｃが一体に形成されており、図３に示すように、幅方向において２分割されているとともに、幅方向から付き合わされて接着されることによって一体化されている。
【００２５】
図３において、符号７は、ルアー１の重心位置を変化させるための鉛等からなる球体であり、胴部１ａ内に形成されているガイド溝８内に配置されて、ルアー１の長さ方向に転動可能に装着されている。
【００２６】
この球体７は、尾部１ｃ側を前方へ向けて投げると慣性によって尾部１ｃ側へ移動し、着水し巻き始めると頭部１ｂ側へと移動するようになっている。
【００２７】
また、前記ガイド溝８の前方には磁石９が設けられており、ルアー１の動き出しと同時に球体７が頭部１ｂ側に戻って磁石で固定されるようになっている。
【００２８】
さらに、前記カン３は、頭部１ｂ、胴部１ａの腹部や尾部１ｃのそれぞれに設けられており、頭部１ｂに設けられたカン３には釣り糸１０が取り付けられ、腹部や尾部１ｃに設けられたカン３には釣り針１１が取り付けられるようになっている。
【００２９】
このように構成された本実施形態のルアー１は、図２に示すように、複数の頭部１ｂとの組み合わせで用いられる。
【００３０】
そして、選択された頭部１ｂを、これらに形成されている貫通孔４に胴部１ａに形成された嵌合突起２を嵌着させるとともに、この嵌合突起２から突出させられたカン３を頭部１ｂの前部から突出させて胴部１ａに装着することによって使用状態とすることができる。
【００３１】
一方、ルアー１の形状を変更する際には、装着されている頭部１ｂを取り外した後に、他の頭部１ｂを装着することによって行なうことができる。
【００３２】
このような頭部１ｂの着脱操作は、頭部１ｂをルアー１の長さ方向に沿うように移動させて胴部１ａに嵌合させることによって行なうことができる。
【００３３】
そして、頭部１ｂを胴部１ａに装着した状態において、これらが、固定手段５としての磁石６による磁力の補助を受けつつ、嵌合突起２の外面と貫通孔４の内面との摩擦により保持される。
これによって、頭部１ｂの胴部１ａからの離脱が防止される。
【００３４】
このように、頭部１ｂの装着操作や替え操作を、頭部１ｂを胴部１ａに嵌合させるといった簡便な操作によって行なうことができるので、これらの操作を容易なものとすることができる。
【００３５】
ここで、頭部１ｂと胴部１ａとの固定は、主に、貫通孔４と嵌合突起２との摩擦によって行なわれていることから、固定手段５は、前述した摩擦による固定を補助する程度で済み、したがって、固定手段５の構成も簡素なもので済む。
【００３６】
一方、巻き取りの際にルアー１にかかる力は、嵌合突起２の基部で、胴部１ａとの連続部に作用する。
【００３７】
また、頭部１ｂと胴部１ａとの固定を貫通孔４と嵌合突起２との摩擦のみで行なう場合、製造精度等の関係でこの摩擦がばらつき、摩擦の大きさによっては、貫通孔４へ嵌合突起２を嵌合させる際に、これらの間に隙間が生じることも想定される。
【００３８】
このように頭部１ｂと胴部１ａとの間に隙間が生じると、この隙間により両者間に相対移動が生じることから、巻き取り時の外力が嵌合突起２の基部に集中して作用してしまうことが想定される。
【００３９】
本実施形態では、頭部１ｂを胴部１ａに取り付ける際に、磁石６の作用により頭部１ｂが胴部１ａ側に吸引されて、貫通孔４と嵌合突起２との摩擦力を補助することから、頭部１ｂを胴部１ａに容易に密着させて前述した隙間の形成を抑制することができる。
【００４０】
このように、頭部１ｂと胴部１ａとの間の隙間をなくすと、これらの相対移動が拘束されて、巻き取り時に嵌合突起２に作用する外力が、頭部１ｂを経て胴部１ａに分散して支持される。
【００４１】
これによって、嵌合突起２の基部へ外力が集中することを防止して、嵌合突起２の折れと等の不具合を抑制することができる。
【００４２】
図４および図５は、本考案の第２の実施形態を示す。
本実施形態は、固定手段５に変更を加えたものである。
【００４３】
この固定手段５は、頭部１ｂの貫通孔４の内壁に形成された係合溝１２と、胴部１ａの嵌合突起２に形成され係合溝１２に係合させられる係合突起１３とによって構成されている。
【００４４】
これらの係合溝１２と係合突起１３との係合により、図５に示すように、頭部１ｂが胴部１ａへ固定され、また、その係合の解除により取り外されるが、このような着脱操作も、前述した操作と同様に、頭部１ｂのルアー１の長さ方向に沿った移動のみによって行なうことができる。
【００４５】
図６は、本考案の第３の実施形態を示す。
本実施形態は、尾部１ｃを胴部１ａから分割して形成しておき、これらの尾部１ｃと胴部１ａとの間に、前述した頭部１ｂと胴部１ａとの間に形成された構成と同様の構成を形成したものである。
【００４６】
なお、前記実施形態において示した各構成部材の諸形状や寸法等は一例であって、設計要求等に基づき種々変更可能である。
【００４７】
たとえば、分割する部位、すなわち、形状変更を行なう部位は、頭部１ｂと尾部１ｃの何れか一方とするか、もしくは、両方とすることが可能である。
【符号の説明】
【００４８】
１  ルアー
１ａ  胴部
１ｂ  頭部
１ｃ  尾部
２  嵌合突起
３  カン
４  貫通孔
５  固定手段
６  磁石
７  球体
８  ガイド溝
９  磁石
１０  釣り糸
１１  釣り針
１２  係合溝
１３  係合突起
【図１】
0003233194.tif 000003
【図２】
0003233194.tif 000004
【図３】
0003233194.tif 000005
【図４】
0003233194.tif 000006
【図５】
0003233194.tif 000007
【図６】
0003233194.tif 000008